(57)【要約】  本発明はポンピング式化粧品容器に関するもので、本発明によるポンピング式化粧品容器は、使用の時、内容物が吐出される移動通路が開閉ブラケットによって選択的に開放されてノズルの内部に異物が浸透される虞がなく、また、二重スプリングを利用したポンピングの作用後、制御突起がロッキング突起を加圧する反作用で移動通路の内部に残存する内容物を再吸入して、移動通路の内部で内容物が変質される虞が全くないことを特徴とする。【選択図】なし
2014521563.tif 000002
【特許請求の範囲】
【請求項１】
内部に内容物が貯蔵される容器本体（１００）と；
前記容器本体（１００）の内部に貯蔵された内容物をポンピングするポンピング部材（２００）と；
前記容器本体（１００）の上部に結合され、前記ポンピング部材（２００）によってポンピングされた内容物が通過されるように上下方向に中空（３１０）が形成され、上下方向に可動空間（３２０）が備えられ、上面にはロッキング突起（３３０）が突出して形成されるロッキング部材（３００）と；
前記ロッキング部材（３００）の上部に結合され、前記中空（３１０）と連通されて前記ポンピング部材（２００）によってポンピングされた内容物が流入される移動通路（４１０）が形成され、前記可動空間（３２０）に嵌められて上下に移動される外部可動ブラケット（４４０）が備えられる中間体（４００）と；
前記中間体（４００）の上面に回転されるように結合され、下面には前記ロッキング突起（３３０）と当接して前記中間体（４００）の上下方向の移動を選択的に許容する制御突起（５２０）が備えられる開閉ブラケット（５００）と；
前記ロッキング突起（３３０）は上面に制御突起（５２０）が嵌められて固定されるように凹まれて形成される陷沒部（３３１）と；
前記ロッキング突起（３３０）の上面には上記陷沒部（３３１）と連続的に形成され、一側に下向きに傾斜された傾斜面（３３２）が備えられて、前記中間体（４００）に外力が作用されると、前記開閉ブラケット（５００）が前記移動通路（４１０）の端部を開放することを特徴とするポンピング式化粧品容器。
【請求項２】
前記中間体（４００）の上面を覆い、前記開閉ブラケット（５００）が回転されて、制御突起（５２０）がロッキング部材（３３０）から離脱の時、上下方向への作動が確保され、前記移動通路（４１０）の端部の上部が覆われるように突出部（６１０）が備えられたボタン（６００）がさらに含まれることを特徴とする請求項１に記載のポンピング式化粧品容器。
【請求項３】
前記容器本体（１００）の上部に結合されて、前記容器本体（１００）を密閉し、中央には前記ポンピング部材（２００）が設置される第１空間（１１１）と；第１空間（１１１）の外側に備えられ、下部スプリング（Ｓ１）の下端が当接する第２空間（１１２）と；第２空間（１１２）の外側に備えられ、前記可動空間（３２０）の外部を囲む第３空間（１１３）と；が含まれたカバー（１１０）と；
前記ポンピング部材（２００）が密閉されるように前記ポンピング部材（２００）の外部を覆ったまま前記第２空間（１１２）に嵌められて下部スプリング（Ｓ１）の上端によって内壁が弾性的に支持されるように結合され、前記移動通路（４１０）及び中空（３１０）と連通される連通孔（７１０）が備えられ、この連通孔の内部には係止突起（７１１）が備えられる密閉ブラケット（７００）と；
前記中間体（４００）の内側面に下向きに突出して形成され、前記中空（３１０）を貫通して前記連通孔（７１０）に嵌められ、前記係止突起（７１１）と当接すると、前記密閉ブラケット（５００）を下向きに移動させる内部ブラケット（４５０）と；
前記内部ブラケット（４５０）の外周面に結合され、下端は前記密閉ブラケット（７００）の上面によって支持され、上端は前記中間体（４００）の内壁によって支持される上部スプリング（Ｓ２）と；がさらに含まれることを特徴とする請求項１に記載のポンピング式化粧品容器。
【請求項４】
前記ポンピング部材（２００）のポンピングが完了された後、前記下部スプリング（Ｓ１）と上部スプリング（Ｓ２）の弾性復元力によって前記密閉ブラケット（７００）と中間体（４００）が上昇すると、前記開閉ブラケット（５００）を回転させて制御突起（５２０）がロッキング突起（３３０）を加圧する反作用によって中間体（４００）を上昇させると同時に、前記移動通路（４１０）に残存する内容物が連通孔（７１０）に再吸入（Ｓｕｃｋ−ｂａｃｋ）されることを特徴とする請求項３に記載のポンピング式化粧品容器。
【請求項５】
前記中間体の上面に形成される回転空間（４２０）と；
前記回転空間（４２０）と連結され、前記制御突起（５２０）が挿入されて回転される回転溝（４３０）と；
前記制御突起（５２０）と連結された状態で、前記回転空間（４２０）に嵌められて回転される回転軸（５１０）と；がさらに含まれることを特徴とする請求項１に記載のポンピング式化粧品容器。
【請求項６】
前記開閉ブラケット（５００）には前記回転軸（５１０）による回転の時、前記移動通路（４１０）の端部を選択的に開閉する開閉部（５３０）がさらに含まれることを特徴とする請求項４に記載のポンピング式化粧品容器。
【発明の詳細な説明】
【技術分野】
【０００１】
本発明はポンピング式化粧品容器に関するもので、さらに詳しくは、使用の時、内容物が吐出される移動通路が開閉ブラケットによって選択的に開放されてノズルの内部に異物が浸透される虞のないポンピング式化粧品容器に関するものである。
【背景技術】
【０００２】
一般に、液状またはゲル状の各種化粧品を貯蔵する化粧品容器は、その注入口上に保存される内容物を一定量ずつ外部に正確に吐出させるための真空ポンプが装着される構造が広く使われている。
【０００３】
上記のような真空ポンプは、今まで様々な構造が知られて使われており、これらの原理は大体化粧品容器の注入口を開閉するようにするノズルキャップ上に設置されるもので、作動ボタンを押すと、ポンピング作動で内部には真空圧力が発生し、この真空圧力によって容器内部に保存された内容物が一定量ずつノズルを通じて外部に吐出される。
【０００４】
また、上記のような一般的な化粧品容器は、真空ポンプを有しているものの、保存容器が一つの単一体からなって、保存容器の内部の真空状態を正確に保持することができなくて、外部から空気が流入されたり、または光が内部に透過されて、ポンピング効率が顕著に低下されるか、または内容物が汚染及び変質されるなどの構造的問題点があった。
【０００５】
これによって、最近には、上記のような問題点を解決するために、保存容器の注入口上に真空ポンプを有する化粧品容器を内容器と外容器の二重構造に形成した二重化粧品容器が提案された。
【０００６】
上記のような真空ポンプを有する従来の二重構造の化粧品容器は、図５に示すように、内容物を保存するための内容器１０と、この内容器を保護しながらも外部装飾のための外容器２０とからなる二重構造の化粧品容器で構成され、上記内容器１０の開口部には内容物をポンピングするための真空ポンプ３０が設置される。
【０００７】
上記真空ポンプ３０は、内容器１０の注入口には作動シリンダー３１とノズルキャップ３２が内外側にそれぞれ重畳されるように設置され、ノズルキャップ３２にはノズル３３を有する作動ボタン３４が昇降可能に設置される。
【０００８】
また、上記ノズルキャップ３２の中心下部にはピストン３５が垂直に連結されて作動シリンダー３１内で昇降作動されるように構成され、上記ピストン３５の内径にはオリフィスを有するようにピストン支持管３６が設置され、同時に、下部外縁にはバルブ３７が設置されて、作動シリンダー３１内で昇降作動されながら流体通路を開閉するように構成され、作動ボタン３４はリターンスプリング３８によって弾力的に設置される。
【０００９】
また、上記作動シリンダー３１内には内容器１０と連通される流体通路が形成され、この流体通路には開閉バルブ３９が設置されて、ポンピング作動によって真空圧力が作用することによって流体通路を開閉する。
【００１０】
従って、上記のように構成される二重化粧品容器は、作動ボタン３４を押すと、リターンスプリング３８を圧縮しながら下降作動し、この加圧力によってピストン３５とバルブ３７、そしてピストン支持管３６も下降して作動シリンダー３１内を圧縮する。
【００１１】
これによって、作動シリンダー３１内の真空圧力が増加しながらバルブ３７とピストン支持管３６との間を開放することによって作動シリンダー３１内の内容物は開放された隙間とピストン支持管３６のオリフィスを経て作動ボタン３４のノズル３３を通じて外部に吐出される。
【００１２】
この時、開閉バルブ３９は作動シリンダー３１の圧力によって流体通路を閉鎖した状態を維持し、これとは反対に、押した作動ボタン３４を離すと、リターンスプリング３８の復帰力によってピストン３５、バルブ３７、ピストン支持管３６は原位置に上昇し、この作動によって作動シリンダー３１内には真空圧力が発生しながら開閉バルブ３９が流体通路を開放することによって、内容器１０内の内容物が作動シリンダー３１内に流入されて次の吐出を待機する。
【００１３】
しかし、上記のような従来の化粧品容器は、ノズルが常に露出されることで、ノズルの内部に収容された内容物が変質される虞があって、衛生上の問題点があり、不注意によって望まないポンピングが行われて内容物が吐出されて、内容物が無駄使いされる虞があるという問題点があった。
【発明の概要】
【発明が解決しようとする課題】
【００１４】
本発明は上述した問題点を解決するために案出されたもので、本発明の目的は、使用の時、内容物が吐出される移動通路がボタンの下向き加圧によって開閉ブラケットが選択的に開放されて、ノズルの内部に異物が浸透される虞のないポンピング式化粧品容器を提供することにある。
【００１５】
また、二重スプリングを利用したポンピング作用の後、制御突起がロッキング突起を加圧する反作用で移動通路の内部に残存する内容物を再吸入して移動通路内部で内容物が変質される虞が全くないポンピング式化粧品容器を提供することにある。
【課題を解決するための手段】
【００１６】
上記のような問題点を解決するために、本発明によるポンピング式化粧品容器は、内部に内容物が貯蔵される容器本体１００と；上記容器本体１００の内部に貯蔵された内容物をポンピングするポンピング部材２００と；上記容器本体１００の上部に結合され、上記ポンピング部材２００によってポンピングされた内容物が通過されるように上下方向に中空３１０が形成され、上下方向に可動空間３２０が備えられ、上面にはロッキング突起３３０が突出形成されるロッキング部材３００と；上記ロッキング部材３００の上部に結合され、上記中空３１０と連通されて、上記ポンピング部材２００によってポンピングされた内容物が流入される移動通路４１０が形成され、上記可動空間３２０に嵌められて上下に移動される外部可動ブラケット４４０が備えられる中間体４００と；上記中間体４００の上面に回転されるように結合され、下面には上記ロッキング突起３３０と当接して上記中間体４００の上下方向の移動を選択的に許容する制御突起５２０が備えられる開閉ブラケット５００と；上記ロッキング突起３３０は上面に制御突起５２０が嵌められて固定されるように凹まれて形成される陷沒部３３１と；上記ロッキング突起３３０の上面には上記陷沒部３３１と連続的に形成され、一側に下向きに傾斜された傾斜面３３２が備えられて、上記中間体４００に外力が作用されると、上記開閉ブラケット５００が上記移動通路４１０の端部を開放することを特徴とする。
【００１７】
また、上記中間体４００の上面を覆って、上記開閉ブラケット５００が回転されて制御突起５２０がロッキング部材３３０から離脱時、上下方向への作動が確保され、上記移動通路４１０の端部の上部が覆われるように突出部６１０が備えられたボタン６００がさらに含まれることを特徴とする。
【００１８】
また、上記容器本体１００の上部に結合されて、上記容器本体１００を密閉し、中央には上記ポンピング部材２００が設置される第１空間１１１と；上記第１空間１１１の外側に備えられ、下部スプリングＳ１の下端が当接する第２空間１１２と；上記第２空間１１２の外側に備えられ、上記可動空間３２０の外部を囲む第３空間１１３とが含まれたカバー１１０と；上記ポンピング部材２００が密閉されるように上記ポンピング部材２００の外部を覆ったまま上記第２空間１１２に嵌められて、下部スプリングＳ１の上端によって内壁が弾性的に支持されるように結合され、上記移動通路４１０及び中空３１０と連通される連通孔７１０が備えられ、この連通孔の内部には係止突起７１１が備えられる密閉ブラケット７００と；上記中間体４００の内側面に下向きに突出して形成され、上記中空３１０を貫通して上記連通孔７１０に嵌められ、上記係止突起と当接すると、上記密閉ブラケットを下向きに移動させる内部ブラケット４５０と；上記内部ブラケット４５０の外周面に結合され、下端は上記密閉ブラケット７００の上面によって支持され、上端は上記中間体４００の内壁によって支持される上部スプリングＳ２がさらに含まれることを特徴とする。
【００１９】
また、上記中間体の上面に形成される回転空間４２０と；上記回転空間４２０と連結され、上記制御突起５２０が挿入されて回転される回転溝４３０と；上記制御突起５２０に連結された状態で、上記回転空間４２０に嵌められて回転される回転軸５１０とがさらに含まれることを特徴とする。
【００２０】
また、上記開閉ブラケット５００には、上記回転軸５１０による回転の時、上記移動通路４１０の端部を選択的に開閉する開閉部５３０がさらに含まれることを特徴とする。
【発明の効果】
【００２１】
以上、上述したような本発明によれば、使用の時、内容物が吐出される移動通路がボタンの下向き加圧によって開閉ブラケットが選択的に開放されて、ノズルの内部に異物が浸透される虞のない長所がある。
【００２２】
また、二重スプリングを利用したポンピング作用の後、制御突起がロッキング突起を加圧する反作用で移動通路の内部に残存する内容物を再吸入して移動通路内部で内容物が変質される虞が全くない長所がある。
【図面の簡単な説明】
【００２３】
【図１】本発明の好ましい実施例によるポンピング式化粧品容器の分解斜視図である。
【図２】本発明の好ましい実施例によるポンピング式化粧品容器の初期状態の断面図である。
【図３】本発明の好ましい実施例によるポンピング式化粧品容器の開閉ブラケットが開放されて移動通路の端部が開放された状態の断面図である。
【図４】本発明の好ましい実施例によるポンピング式化粧品容器のボタンが加圧されて内容物をポンピングする状態を示す断面図である。
【図５】従来技術のポンピング式化粧品容器の構成を示す断面図である。
【発明を実施するための形態】
【００２４】
以下、添付された図面を参照して、本発明の実施例を説明する。各図面に提示された同じ符号は同じ部材を示す。本発明を説明する際に、係わる公知機能または構成に関する具体的な説明は本発明の要旨を明確にするために省略する。
【００２５】
図１は本発明の好ましい実施例によるポンピング式化粧品容器の分解斜視図であり、図２は本発明の好ましい実施例によるポンピング式化粧品容器の初期状態の断面図であり、図３は本発明の好ましい実施例によるポンピング式化粧品容器の開閉ブラケットが開放されて移動通路の端部が開放された状態の断面図であり、図４は本発明の好ましい実施例によるポンピング式化粧品容器のボタンが加圧されて内容物をポンピングする状態を示す断面図である。
【００２６】
本発明の好ましい実施例によるポンピング式化粧品容器は容器本体１００、ポンピング部材２００、ロッキング部材３００、中間体４００及び開閉ブラケット５００が含まれ、ストッパー１０、カバー１１０、第１空間１１１、第２空間１１２、第３空間１１３、吸入部２１０、吸入ノズル２２０、ピストン２３０、中空３１０、可動空間３２０、ロッキング突起３３０、陷沒部３３１、傾斜面３３２、移動通路４１０、回転空間４２０、回転溝４３０、外部可動ブラケット４４０、内部ブラケット４５０、回転軸５１０、制御突起５２０、開閉部５３０、ボタン６００、突出部６１０、密閉ブラケット７００、連通孔７１０、係止突起７１１、下部スプリングＳ１、上部スプリングＳ２がさらに含まれることができる。
【００２７】
上記容器本体１００は内部に内容物が貯蔵される部材で、このような容器本体１００の内部には、図１〜図４に示すように、後述するポンピング部材２００の作動によって上昇しながら容器本体１００の内部に真空状態を維持させる真空ピストンＰが備えられている。
【００２８】
また、上記のような容器本体１００の上部はカバー１１０によって密閉される。このようなカバー１１０の上部には第１空間１１１、第２空間１１２及び第３空間１１３が形成される。
【００２９】
上記第１空間１１１は後述するポンピング部材２００が設置されて、容器本体１００の内部に貯蔵された内容物をポンピングすることができるように形成された空間であり、第２空間１１２は下部スプリングＳ１の下端を支持するとともに、密閉ブラケット７００が嵌合されて、ポンピング部材２００を密閉させる役割を果たす空間である。
【００３０】
また、上記第３空間１１３は後述するロッキング部材３００の可動空間が収容されるように可動空間３２０の外部を囲む空間である。
【００３１】
上記ポンピング部材２００は、上述したように、第１空間１１１に設置されて、容器本体１００の内部の内容物を吸い込んで、後述する中間体４００の移動通路４１０に移動させる役割を果たす部材である。図１〜図４に示すように、ポンピング部材２００は、吸入部２１０、吸入ノズル２２０、ピストン２３０で構成される。
【００３２】
上記吸入部２１０は第１空間１１１の下部に設置されて、吸入ノズル２２０とピストン２３０のポンピング作用によって内容物を吸い込む部材であり、このように吸入された内容物は吸入ノズル２２０を通じて連通孔７１０と後述する中空３１０を経て移動通路４１０に移動される。
【００３３】
ここで、上記連通孔７１０は密閉ブラケット７００に上下に貫通して形成された通孔であり、密閉ブラケット７００はポンピング部材２００の外部を密閉させる役割を果たし、下端は上記第２空間１１２に嵌合される。
【００３４】
上記ロッキング部材３００は、図１〜図４に示すように、容器本体１００の上部に結合される部材で、このようなロッキング部材３００は中空３１０、可動空間３２０、ロッキング突起３３０が含まれる。
【００３５】
上記中空３１０はロッキング部材３００の中央に形成され、上下に貫通して形成される。このような中空３１０は連通孔７１０及び移動通路４１０と連通される。
【００３６】
また、上記ロッキング部材３００の上面には上下方向に可動空間３２０が備えられる。このような可動空間３２０は外部可動ブラケット４４０が嵌められて上下に作動する空間で、上述したように、第３空間１１３に収容される。
【００３７】
一方、上記ロッキング部材３００の上面には陷沒部３３１が形成されたロッキング突起３３０が備えられる。このようなロッキング突起３３０は後述する開閉ブラケット５００が移動通路４１０の端部を密閉している時は、制御突起５２０が陷沒部３３１に嵌められて固定される。
【００３８】
また、上記ロッキング部材３００には陷沒部３３１が連続的に形成され、一側に傾斜された傾斜面３３２が備えられることが特徴である。使用者がボタン６００を下方に押すと、制御突起５２０が陷沒部３３１から離脱されながら、傾斜面３３２に沿ってスライディングされて、開閉ブラケット５００が図３に示すように上側にそり返る。
【００３９】
即ち、開閉ブラケット５００は使用者が手で回転させて移動通路４１０の端部を開放することもでき、ボタン６００を加圧して開放することもできる。
【００４０】
これによって、本発明の好ましい実施例によるポンピング式化粧品容器は、流通の際または末開封の際、開閉ブラケット５００開かれることが防止されるように、中間体４００とロッキング部材３００との間には脱離が容易なストッパー１０が備えられることが好ましい。
【００４１】
上記中間体４００は、図１〜図４に示すように、上述したロッキング部材３００の上部に結合される部材で、中空３１０及び連通孔７１０と連通される移動通路４１０が備えられる。このような移動通路４１０は上述したポンピング部材２００によってポンピングされた内容物が流入されて端部に排出される。
【００４２】
一方、上記中間体４００の上面には回転空間４２０と回転溝４３０とが備えられ、図２〜図４に示すように、中間体４００の内側面には内部ブラケット４５０が形成される。上記回転空間４２０は後述する開閉ブラケット５００の回転軸が嵌合されて開閉ブラケット５００が回転されることができるようにする役割を果たす。
【００４３】
また、上記回転溝４３０は回転軸５１０と連続的に連結される制御突起５２０が回転される空間であり、このような回転溝４３０と上記回転空間４２０は連続的に形成される。
【００４４】
一方、上記内部ブラケット４５０は中空３１０を貫通して連通孔７１０に嵌められて上下に可動される部材で、このような内部ブラケット４５０は中空３１０に内容物が漏出されることを防止する役割を果たすことができる。
【００４５】
上記開閉ブラケット５００は、図１〜図４に示すように、回転軸５１０と制御突起５２０及び開閉部５３０を含む部材で、このような開閉ブラケット５００は移動通路４１０の端部を選択的に開閉する役割を果たす。
【００４６】
上記回転軸５１０は回転空間４２０に回転されるように嵌められる部材であり、制御突起５２０はこのような回転軸５１０と連続的に形成される部材である。制御突起５２０は開閉ブラケット５００が移動通路４１０の端部を阻んでいる位置ではロッキング突起３３０の陷沒部３３１に端部が嵌められて固定されて、回転軸５１０が回転されると、移動通路４１０の端部が開放されるようにそり返る。
【００４７】
ここで、開閉部５３０は移動通路４１０の端部を覆うことができる形状に製作されて、回転軸５１０による開閉ブラケット５００が回転する時、移動通路４１０を選択的に開閉して移動通路４１０に異物が流入されることを遮断する役割を果たす。
【００４８】
一方、上記のような中間体４００の上面にはボタン６００が備えられることが好ましい。このようなボタン６００はストッパー１０が除かれた状態で加圧されると、開閉ブラケット５００を回転させて、図３に示すようにそり返りながら制御突起５２０がロッキング突起３３０から固定が解除された後上下方向への作動が確保される。
【００４９】
これによって、使用者は開閉ブラケット５００がそり返った状態でボタン６００を下向きに加圧して容器本体１００の内部に貯蔵された内容物を吐出することができる。
【００５０】
また、上記ボタン６００の外周面には突出部６１０が備えられる。このような突出部６１０は移動通路４１０の端部の上部が覆われるようにする。
【００５１】
即ち、上記ボタン６００は中間体４００が外部に露出されることを防止して、見かけを秀麗にさせる役割を果たすものであると言える。
【００５２】
以下、上記のような構成を有するポンピング式化粧品容器の作動について説明する。
【００５３】
まず、図２には本発明の好ましい実施例によるポンピング式化粧品容器の初期状態が示されている。
【００５４】
上記のような初期状態で、使用者はストッパー１０を取り除いた後、ボタン６００を押して制御突起５２０を陷沒部３３１から離脱させると、開閉ブラケット５００が回転されながら移動通路４１０の端部を開放して図３の状態に転換される。
【００５５】
上記のように、移動通路４１０の端部が開放された状態で、使用者はボタン６００を下方へ加圧すると、中間体４００が下向きに移動される。内部ブラケット４５０の下側端部が連通孔７１０の内部に備えられた係止突起７１１と当接するまで下向きに移動させ、ここまでの動作を１次下向き移動段階と言う。このような状態では、ポンピング部材２００の作動がないので、下部スプリングＳ１と上部スプリングＳ２には弾性復元力が一切の保存れない。
【００５６】
上記のように、１次下向き移動段階で、使用者がボタン６００を加圧し続けると、図４に示すように、中間体４００が下向きに移動される。これと同時に、内部ブラケット４５０は連通孔７１０の内壁に沿って下向きに移動され、外部可動ブラケット４４０は可動空間３２０に嵌められて下向きに移動される。
【００５７】
ここで、内部ブラケット４５０の端部が連通孔７１０の内部に備えられた係止突起７１１と当接した状態であるので、ボタン６００の加圧によって密閉ブラケット７００は下向きに移動される。このような状態を２次下向き移動段階と言う。
【００５８】
上記のように、密閉ブラケット７００が下向きに移動されると、下側端部が支持される下部スプリングＳ１には弾性復元力が保存され、これと同時に密閉ブラケット７００の上面に下側端部が支持され、上側端部は中間体４００の内壁によって支持される上部スプリングＳ２にも弾性復元力が保存される。
【００５９】
また、上記のように、下部スプリングＳ１と上部スプリングＳ２に弾性復元力が保存されながら密閉ブラケット７００が下向きに移動されると、ポンピング部材２００も下向きに移動されながら容器本体１００の内部に貯蔵された内容物をポンピングする。
【００６０】
上記のように、ポンピング部材２００によってポンピングされた内容物は移動通路４１０を経て外部に排出される。
【００６１】
一方、上記のように、ボタン６００を下向きに加圧してポンピングされた後、中間体４００と密閉ブラケット７００は再び上向きに移動される。上記中間体４００と密閉ブラケット７００は１次下向き移動段階と同じ位置まで上昇する。
【００６２】
その後、使用者はそり返った開閉ブラケット５００を回転させて開閉部５３０で移動通路４１０の端部を密閉させる。上記のように、開閉ブラケット５００が移動通路４１０の端部を密閉させるためには、開閉ブラケット５００を移動通路４１０の端部を開放する反対方向に回転させる。
【００６３】
これによって、制御突起５２０がロッキング突起３３０の傾斜面３３２を加圧しながら陷沒部３３１に端部が挿入される。ロッキング突起３３０が加圧されることに対する反作用で中間体４００は上向きに移動されながら連通孔７１０の内部には圧力が発生されて、移動通路４１０に残存する内容物を連通孔７１０の内部に再吸入（Ｓｕｃｋ−ｂａｃｋ）する。
【００６４】
また、上記のように、陷沒部３３１に制御突起５２０の端部が挿入されると、開閉部５３０は移動通路４１０の端部を密閉すると同時に、中間体４００が下向きに移動されることを防止し、ボタン６００を使用者が再び加圧する前までは本発明の好ましい実施例によるポンピング式化粧品容器はロッキングされた状態が維持される。
【００６５】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2014521563.tif 000003
【図２】
2014521563.tif 000004
【図３】
2014521563.tif 000005
【図４】
2014521563.tif 000006
【図５】
2014521563.tif 000007
【国際調査報告】
2014521563.tif 000008
2014521563.tif 000009
2014521563.tif 000010
2014521563.tif 000011
2014521563.tif 000012
2014521563.tif 000013